【事件の表示】
　特願２００８−３０６３１８「パチンコ機」拒絶査定不服審判事件〔平成２１年　３月　５日出願公開、特開２００９−　４５４９６〕について、次のとおり審決する。
【結　論】
　本件審判の請求は、成り立たない。
【理　由】
１．手続の経緯 
　本願は、平成９年７月２日に出願した特願平９−１７７３４８号の一部を分割して、平成２０年１２月１日に新たな特許出願としたものであって、
　平成２０年１２月２４日付けで手続補正書が提出され、
　平成２２年９月２２日付けで拒絶理由が通知され、これに応答して同年１１月２９日付けで手続補正書が提出されたが、
　平成２３年１月２７日付けで拒絶査定がされたため、
　これを不服として平成２３年４月２６日付けで拒絶査定不服審判が請求され、
　当審において、平成２３年６月２８日付けで最後の拒絶理由通知が通知され、これに応答して同年８月２９日付けで意見書が提出されるとともに、同日付けで手続補正書が提出されたものである。 
　
　
２．平成２３年８月２９日付けの手続補正についての補正却下の決定
　
［補正却下の決定の結論］
　平成２３年８月２９日付けの手続補正を却下する。
　
［理由］
(1) 本件補正
　平成２３年８月２９日付けの手続補正により、特許請求の範囲は、
「　　【請求項１】
　遊技域中に設けらた表示画面と、
　該表示画面中の一領域に図柄を表示する複数の表示領域を設定し、該表示領域に表示する前記図柄を予め定められた順列に従って連続的に変更する変動表示を行った後、該変動表示を停止させて一つの停止図柄を明示する表示制御手段と、
　該表示制御手段を起動し、前記停止図柄として当り図柄が複数の前記表示領域に明示され、その組合せが予め定められた図柄の組合せを明示した場合、特別遊技を実行する特別遊技実行手段とを備え、
　前記表示制御手段は、
　　現在変動表示中の１の表示領域に、停止図柄として当り図柄が明示されれば、前記停止図柄として当り図柄が前記表示領域に明示された場合になりうる状態であるリーチ状態のとき、変動表示が停止していない前記表示領域である未停止表示領域内に一度に表示する図柄の数を、複数の図柄を並べて表示することによって増加する図柄数増加手段と、
　　リーチ状態のとき、前記順列を、前記当り図柄を含む前記順列の一部からなる部分順列に差し替える順列差替手段と、
　　リーチ状態のとき、前記未停止表示領域の大きさを拡大する拡大手段と、
　を備え、
　前記順列差替手段は、
　　前記図柄のうち、前記当り図柄を他の図柄に比べて多く、かつ、前記未停止表示領域中に前記他の図柄が表示される態様で複数の図柄を表示する前記部分順列に設定する当り図柄設定手段を備えることを特徴とするパチンコ機。」
　に補正された。（以下、この補正を「本件補正」という。）
　ただし、前記「遊技域中に設けらた表示画面」については、「遊技域中に設けられた表示画面」の誤記と認める。
　
(2) 補正の目的
　本件補正は、以下の点を補正した。
・補正前の請求項１における「該表示画面中の一領域に図柄を表示する表示領域」を、「該表示画面中の一領域に図柄を表示する複数の表示領域」に補正した。（以下「補正事項１」という）
　
・補正前の請求項１における「前記停止図柄として当り図柄が前記表示領域に明示された場合のみ、特別遊技を実行する特別遊技実行手段」を、「前記停止図柄として当り図柄が複数の前記表示領域に明示され、その組合せが予め定められた図柄の組合せを明示した場合、特別遊技を実行する特別遊技実行手段」に補正した。（以下「補正事項２」という）
　
・補正前の請求項１における「リーチ状態」を、「現在変動表示中の１の表示領域に、停止図柄として当り図柄が明示されれば、前記停止図柄として当り図柄が前記表示領域に明示された場合になりうる状態であるリーチ状態」に補正した。（以下「補正事項３」という）
　
・補正前の請求項１における「前記表示領域内に一度に表示する図柄の数を、複数の図柄を並べて表示することによって増加する図柄数増加手段」を、「変動表示が停止していない前記表示領域である未停止表示領域内に一度に表示する図柄の数を、複数の図柄を並べて表示することによって増加する図柄数増加手段」に補正した。（以下「補正事項４」という）
　
・補正前の請求項１における「リーチ状態のとき、前記表示領域の大きさを拡大する拡大手段」を、「リーチ状態のとき、前記未停止表示領域の大きさを拡大する拡大手段」に補正した。（以下「補正事項５」という）
　
・補正前の請求項１における「前記図柄のうち、前記当り図柄を他の図柄に比べて多く前記部分順列に設定する当り図柄設定手段」を、「前記図柄のうち、前記当り図柄を他の図柄に比べて多く、かつ、前記未停止表示領域中に前記他の図柄が表示される態様で複数の図柄を表示する前記部分順列に設定する当り図柄設定手段」に補正した。（以下「補正事項６」という）
　
補正事項１について
「表示領域」が「複数」であることを、技術事項として限定したものである。
　
補正事項２について
「特別遊技実行手段」が「特別遊技を実行する」場合を、技術事項として限定したものである。
　
補正事項３について
「リーチ状態」の具体的な内容を、技術事項として限定したものである。
　
補正事項４について
「図柄数増加手段」が制御する「表示領域」を、技術事項として限定したものである。
　
補正事項５について
「拡大手段」が制御する「表示領域」を、技術事項として限定したものである。
　
補正事項６について
「当り図柄設定手段」が実行する処理の具体的な内容を、技術事項として限定したものである。
　
　以上により、本件補正は、平成１８年法律第５５号改正附則第３条第１項によりなお従前の例によるとされる同法による改正前の特許法第１７条の２第４項第２号の特許請求の範囲の減縮を目的とするものに該当する。
　そこで、本件補正後の請求項１に記載された発明(以下、「本件補正発明」という。)が、特許出願の際独立して特許を受けることができるものであるか否か(平成１８年法律第５５号改正附則第３条第１項によりなお従前の例によるとされる同法による改正前の特許法第１７条の２第５項において準用する同法第１２６条第５項の規定に適合するか)について、以下検討する。
　
　
(3) 明確性についての検討
　
(3-1) 補正後の請求項１には、「現在変動表示中の１の表示領域に、停止図柄として当り図柄が明示されれば、前記停止図柄として当り図柄が前記表示領域に明示された場合になりうる状態であるリーチ状態」と記載されている。
　ここで、「停止図柄として当り図柄が明示され」たときに「前記停止図柄として当り図柄が前記表示領域に明示され」るのは、当然のことであるので、
　補正後の請求項１の記載からは、実質的に、「１の表示領域」が「現在変動表示中」である状態を「リーチ状態」という、と解される。
　一方、前記(2) で述べた補正事項２〜３、及び、平成２３年８月２９日付け意見書において請求人が補正事項２の根拠としている明細書【０００６】の記載、を考慮すると、
「現在変動表示中の１の表示領域に、停止図柄として当り図柄が明示され」たときに、「前記停止図柄として当り図柄が複数の前記表示領域に明示され、その組合せが予め定められた図柄の組合せを明示した場合」（補正後の請求項１における特別遊技実行手段についての記載）になりうる状態を、「リーチ状態」というとも解される。
　よって、如何なる状態を「リーチ状態」というのか明確でない。
　
(3-2) 補正後の請求項１には、「当り図柄設定手段」について、「前記図柄のうち、前記当り図柄を他の図柄に比べて多く、かつ、前記未停止表示領域中に前記他の図柄が表示される態様で複数の図柄を表示する前記部分順列に設定する」と記載されているが、各語の修飾関係が明確でなく、具体的に如何なる「設定」がなされるのか明確でない。
　また、平成２３年８月２９日付け意見書の記載を参酌しても、具体的に如何なる「設定」がなされるのか明確でない。すなわち下記の点。
・請求人は前記意見書３−２において、
「これに対し本願発明は、順列を差し替えるに当り、順列を、差し替え前に比べ当り図柄を含む短いものとするとともに、当り図柄以外の他の図柄を全てではなく一定量差し替えることによって、拡大された未停止表示領域に図柄が表示される場合に、当り図柄が常時表示されるようにしつつ他の図柄も表示される順列に差し替えています。／　すなわち、本願発明は、他の図柄が時々表示されるものであるのです。」（／は改行）と主張しているが、
「図柄」自体を「差し替える」点、「当り図柄が常時表示される」点及び「他の図柄が時々表示される」点は、補正後の請求項１には何ら記載されていない。
・前記意見書における前記「他の図柄が時々表示される」なる記載からは、変動表示中においては「他の図柄」が表示されるタイミングと表示されないタイミングとがある、と解される一方、
　補正後の請求項１の「前記未停止表示領域中に前記他の図柄が表示される態様で」なる記載からは、変動表示中においては「他の図柄」が常時表示される、とも解されるので、
　本件補正発明における「他の図柄」が、変動表示中においてどのように表示されるのか、明確でない。
　
(3-3) 明確性についての検討のまとめ
　したがって、本件補正発明は、特許法第３６条第６項第２号に規定する要件を満たしていないので、特許出願の際独立して特許を受けることができるものではない。
　
　
(4) 特許性についての検討
　
(4-1) 本件補正発明の認定
　補正後の請求項１には明確でない記載が認められるので、発明の詳細な説明及び前記意見書の記載を参酌した上で、次のように解する。
　
・「リーチ状態」とは、「現在変動表示中の１の表示領域に、停止図柄として当り図柄が明示され」たときに「前記停止図柄として当り図柄が複数の前記表示領域に明示され、その組合せが予め定められた図柄の組合せを明示した場合」になりうる状態である。
・「前記図柄のうち、前記当り図柄を他の図柄に比べて多く、かつ、前記未停止表示領域中に前記他の図柄が表示される態様で複数の図柄を表示する前記部分順列に設定する」とは、下記ａ〜ｄのとおりである。
ａ．部分順列に対して、設定を行う。
ｂ．「前記当り図柄を他の図柄に比べて多く」なる記載からは、
　例えば、他の図柄Ａ、Ｂ、Ｃは１つずつ、当り図柄だけは２つ、のような意味とも、他の図柄Ａ、Ｂ、Ｃは合計で３つ、当り図柄はこの合計よりも多い４つ、のような意味とも解されるが、
　前記意見書における「当り図柄以外の他の図柄を全てではなく一定量差し替える」、「当り図柄が常時表示される」及び「他の図柄が時々表示される」という、図柄の大半が当たり図柄である旨の記載を考慮すると、後者のような意味と解されるので、
　当り図柄の数が他の図柄を合計した数よりも多い、とする。
ｃ．前記「前記未停止表示領域中に前記他の図柄が表示される態様」及び意見書の「他の図柄が時々表示される」から、他の図柄の数は０ではない。
ｄ．補正後の請求項１、発明の詳細な説明及び前記意見書の記載を参酌しても、当り図柄及び他の図柄を、常時表示するのか又は常時ではなく表示するのかは、明確に特定できない。
　したがって、当り図柄及び他の図柄をそれぞれ常時表示する場合又は常時ではなく表示する場合を組み合わせた、４とおりの組み合わせの何れかであるとする。
　
(4-2) 引用文献に記載された事項
　特開平６−２４６０４０号公報（以下「引用文献１」という。）には、図面とともに、以下の事項が記載されている。
　
(ア)「【０００８】図１は、本発明に係る遊技機の一例のパチンコ遊技機の遊技盤面を示す正面図である。遊技者が図示しない打球操作ハンドルを操作すれば、打球待機樋（図示せず）に貯留されているパチンコ玉が１つずつ遊技盤１の前面に形成されている遊技領域２内に打込まれる。遊技領域２には、複数種類の識別情報を可変表示可能な、液晶表示装置を用いた可変表示装置３が設けられているとともに、始動入賞口１０が設けられている。これら始動入賞口１０内に入賞したパチンコ玉は、始動入賞玉検出器１１により検出される。
【０００９】始動入賞玉検出器１１の検出信号に基づき、可変表示装置３の液晶表示部５０により複数種類の識別情報の一例の図柄がスクロール表示される。この液晶表示部５０は、後述するように、３行×３列のマトリックス状に配列された９つの可変表示部の一例の図柄表示部７９Ａ〜７９Ｉに分割されており、各図柄表示部は、上方から下方等の所定の方向に向かって所定の複数種類の図柄を順次スクロール表示（移動表示）する。そして、複数の図柄表示部が停止時期を異ならせて停止制御され、停止時の表示結果が予め定められた特定の識別情報になれば、可変入賞球装置４の開閉板７が開成されて遊技者にとって有利な第１の状態となる。この可変入賞球装置４は、通常時は開閉板７が閉成した遊技者にとって不利な第２の状態となっているが、可変表示装置３の可変停止時の表示結果が前記予め定められた特定の識別情報の組合せとなれば、ソレノイド１３が励磁されて開閉板７が開成された第１の状態となり大当り状態が発生して所定の遊技価値が付与可能な状態となる。この可変入賞球装置４の第１の状態は、打玉の所定個数（たとえば１０個）の入賞あるいは所定期間（たとえば３０秒間）の経過のいずれか早い方の条件が成立することにより終了して第２の状態となる。」
　
(イ)「【００１４】図２は、液晶表示部５０の表示画面を示す図である。液晶表示部５０は、前述したように、３行×３列の９つの可変表示部７９Ａ〜７９Ｉに分割されており、パチンコ玉の始動入賞に基づいてすべての図柄表示部７９Ａ〜７９Ｉが一斉に可変開始されてそれぞれの図柄表示部７９Ａ〜７９Ｉにより複数種類の図柄が上方から下方に向かってスクロール表示される。そして、まず左上と右下の図柄表示部７９Ａ，７９Ｂが停止制御され、次に菱形状に配置された図柄表示部７９Ｃ，７９Ｄ，７９Ｅ，７９Ｆが停止制御され、次に右上と左下の図柄表示部７９Ｇ，７９Ｈが停止制御され、最後に中央の図柄表示部７９Ｉが停止制御される。
【００１５】そして、中段，上段，下段の横方向３本と左，中，右の縦方向３本と斜め対角線上に２本の合計８本の当りラインが定められており、この８本の当りラインのうちいずれかの当りライン上で特定の識別情報の組合せ（たとえば７７７）が成立すれば、大当り状態が発生する。」
　
(ウ)「【００１６】（Ｂ）は、図柄表示部７９Ａ〜７９Ｆが停止した段階を示しており、未だに可変表示中の図柄表示部７９Ｉの表示結果が「７」となれば、左上から右下に延びる当りライン上において特定の識別情報の組合せ（７７７）が成立して大当りが発生する。このように、未だに可変表示している図柄表示部７９Ｉの表示結果次第で特定の識別情報の組合せが成立する状態をいわゆるリーチ状態といい、このリーチ状態が成立した場合には、（Ｃ）に示すように、リーチ状態が成立した当りライン上における未だに可変表示中の図柄表示部７９Ｉの表示領域が図柄のスクロール表示方向に沿った方向（図面では上下方向）に拡張制御される。その結果、拡張された図柄表示部７９Ｉによって図柄がスクロール表示されるため、図柄の前後関係がよくわかる利点がある。また、リーチ状態が成立すれば、そのリーチ状態が成立した当りライン上の図柄表示部７９Ａ，７９Ｉ，７９Ｂを目印表示枠８０Ａ，７８Ｉ，８０Ｂで囲んで遊技者にわかりやすくしている。なお、図柄表示部７９Ｉの各表示領域が拡張されたために、図柄表示部７９Ｃ，７９Ｅはリーチ動作中液晶表示部５０から消えてなくなる。そして、所定期間拡張された図柄表示部７９Ｉのスクロール表示が続行されてから（Ｄ参照）、すべての図柄表示部が停止される。すべての図柄表示部が停止した後においては、表示領域が拡張されていた図柄表示部７９Ｉが元の表示部の大きさに戻るとともに、液晶表示部５０から消えていた図柄表示部７９Ｃ，７９Ｅも元の状態に戻る。」
　
　以上、(ア)ないし(ウ)の記載、および図面を総合すると、引用文献１には、以下の発明が開示されている。
「遊技領域２には、複数種類の識別情報を可変表示可能な、液晶表示装置を用いた可変表示装置３が設けられ、
　可変表示装置３の液晶表示部５０には、３行×３列のマトリックス状に配列された９つの可変表示部の一例の図柄表示部７９Ａ〜７９Ｉに分割されており、各図柄表示部は、上方から下方等の所定の方向に向かって所定の複数種類の図柄を順次スクロール表示（移動表示）し、
　複数の図柄表示部が停止時期を異ならせて停止制御され、停止時の表示結果が予め定められた特定の識別情報になれば、可変入賞球装置４の開閉板７が開成されて遊技者にとって有利な第１の状態となり、
　リーチ状態が成立した当りライン上における未だに可変表示中の図柄表示部７９Ｉの表示領域が図柄のスクロール表示方向に沿った方向に拡張制御される、
　パチンコ遊技機。」
（以下、この発明を「引用発明１」という。）
　
(4-3) 対比
　引用発明と本件補正発明とを対比する。
　
　引用発明における「遊技領域２」及び「可変表示装置３」は、本件補正発明における「遊技域」及び「表示画面」に相当する。
　
　引用発明における「複数種類の識別情報」は、本件補正発明における「図柄」に相当し、以下同様に、
「３行×３列のマトリックス状に配列された９つの可変表示部の一例の図柄表示部７９Ａ〜７９Ｉ」は「複数の表示領域」に、
「各図柄表示部は、上方から下方等の所定の方向に向かって所定の複数種類の図柄を順次スクロール表示（移動表示）する」は「該表示領域に表示する前記図柄を予め定められた順列に従って連続的に変更する変動表示」に、相当する。
　引用発明における「複数の図柄表示部が停止時期を異ならせて停止制御され」て「停止時の表示結果」が得られる点は、本件補正発明における「該変動表示を停止させて」「停止図柄を明示する」点に相当する。
　引用文献１の図面（特に図２）を参酌すると、引用発明は、各図柄表示部に一つの図柄を明示していると認められる。
　よって、引用発明は、本件補正発明における「該表示画面中の一領域に図柄を表示する複数の表示領域を設定し、該表示領域に表示する前記図柄を予め定められた順列に従って連続的に変更する変動表示を行った後、該変動表示を停止させて一つの停止図柄を明示する表示制御手段」に相当する構成を有する。
　
　引用発明における「そして、複数の図柄表示部が停止時期を異ならせて停止制御され、停止時の表示結果が予め定められた特定の識別情報になれば、可変入賞球装置４の開閉板７が開成されて遊技者にとって有利な第１の状態となる。」について、
　前記「複数の図柄表示部が停止時期を異ならせて停止制御され、停止時の表示結果が予め定められた特定の識別情報になれば」は、本件補正発明における「該表示制御手段を起動し、前記停止図柄として当り図柄が複数の前記表示領域に明示され、その組合せが予め定められた図柄の組合せを明示した場合」に相当する。
　また、引用文献１の(ア)【０００９】には、「この可変入賞球装置４は、通常時は開閉板７が閉成した遊技者にとって不利な第２の状態となっているが、可変表示装置３の可変停止時の表示結果が前記予め定められた特定の識別情報の組合せとなれば、ソレノイド１３が励磁されて開閉板７が開成された第１の状態となり大当り状態が発生して所定の遊技価値が付与可能な状態となる。この可変入賞球装置４の第１の状態は、打玉の所定個数（たとえば１０個）の入賞あるいは所定期間（たとえば３０秒間）の経過のいずれか早い方の条件が成立することにより終了して第２の状態となる。」と記載されているので、
　前記「遊技者にとって有利な第１の状態となる」点は、本件補正発明における「特別遊技を実行する」点に相当する。
　よって、引用発明は、本件補正発明における「該表示制御手段を起動し、前記停止図柄として当り図柄が複数の前記表示領域に明示され、その組合せが予め定められた図柄の組合せを明示した場合、特別遊技を実行する特別遊技実行手段」に相当する構成を有する。
　
　引用文献１の（ウ）には、引用発明の「リーチ状態」について、「（Ｂ）は、図柄表示部７９Ａ〜７９Ｆが停止した段階を示しており、未だに可変表示中の図柄表示部７９Ｉの表示結果が「７」となれば、左上から右下に延びる当りライン上において特定の識別情報の組合せ（７７７）が成立して大当りが発生する。このように、未だに可変表示している図柄表示部７９Ｉの表示結果次第で特定の識別情報の組合せが成立する状態をいわゆるリーチ状態といい」と記載されている。
　よって、引用発明における「リーチ状態」は、本件補正発明における「現在変動表示中の１の表示領域に、停止図柄として当り図柄が明示され」たときに「前記停止図柄として当り図柄が複数の前記表示領域に明示され、その組合せが予め定められた図柄の組合せを明示した場合」になりうる状態に相当するので、
　引用発明における「リーチ状態」は、本件補正発明における「リーチ状態」に相当する。
　
　引用発明における「リーチ状態が成立した当りライン上における未だに可変表示中の図柄表示部７９Ｉの表示領域が図柄のスクロール表示方向に沿った方向に拡張制御される。」点は、本件補正発明における「リーチ状態のとき、前記未停止表示領域の大きさを拡大する」点に相当する。
　引用文献１の図２〜４を参酌すると、引用発明は、前記「拡張制御される」点により、「表示領域」に一度に表示する図柄の数を増加させていると認められるので、
　引用発明における前記「拡張制御される」点は、本件補正発明における「リーチ状態のとき、変動表示が停止していない前記表示領域である未停止表示領域内に一度に表示する図柄の数を、複数の図柄を並べて表示することによって増加する」点に相当する。
　よって、引用発明は、本件補正発明における「リーチ状態のとき、変動表示が停止していない前記表示領域である未停止表示領域内に一度に表示する図柄の数を、複数の図柄を並べて表示することによって増加する図柄数増加手段」及び「リーチ状態のとき、前記未停止表示領域の大きさを拡大する拡大手段」に相当する構成を有する。
　
　引用発明における「パチンコ遊技機」は、本件補正発明における「パチンコ機」に相当する。
　
　以上のことから、両者は
＜一致点＞
「遊技域中に設けらた表示画面と、
　該表示画面中の一領域に図柄を表示する複数の表示領域を設定し、該表示領域に表示する前記図柄を予め定められた順列に従って連続的に変更する変動表示を行った後、該変動表示を停止させて一つの停止図柄を明示する表示制御手段と、
　該表示制御手段を起動し、前記停止図柄として当り図柄が複数の前記表示領域に明示され、その組合せが予め定められた図柄の組合せを明示した場合、特別遊技を実行する特別遊技実行手段とを備え、
　前記表示制御手段は、
　　現在変動表示中の１の表示領域に、停止図柄として当り図柄が明示されれば、前記停止図柄として当り図柄が前記表示領域に明示された場合になりうる状態であるリーチ状態のとき、変動表示が停止していない前記表示領域である未停止表示領域内に一度に表示する図柄の数を、複数の図柄を並べて表示することによって増加する図柄数増加手段と、
　　リーチ状態のとき、前記未停止表示領域の大きさを拡大する拡大手段と、
　を備えるパチンコ機。」
　である点で一致し、以下の点で相違している。
　
＜相違点１＞
　本件補正発明が、「リーチ状態のとき、前記順列を、前記当り図柄を含む前記順列の一部からなる部分順列に差し替える順列差替手段」を備えるのに対し、
　引用発明はこれを備えない。
　
＜相違点２＞
　本件補正発明の「順列差替手段」が「前記図柄のうち、前記当り図柄を他の図柄に比べて多く、かつ、前記未停止表示領域中に前記他の図柄が表示される態様で複数の図柄を表示する前記部分順列に設定する当り図柄設定手段を備える」のに対し、
　引用発明はこれを備えない。
　
(4-4) 判断
＜相違点１＞について
　特開平８−２４３２２４号公報（以下「引用文献２」という）の【００１５】〜【００１８】、【０１３６】、【０１５２】、【０１５６】、【０１７６】には、
　表示領域に変動表示する図柄の順列において、リーチ状態のときに当り図柄が占める割合を増やして遊技者に大当たりの発生確率が向上したように見せかけるために、当り図柄以外の他の図柄を消去する点が開示されており、
　前記他の図柄が消去された前記順列は、本件補正発明における部分順列に相当する。
　前記他の図柄を消去する点を、前記他の図柄を消去済みの順列に差し替えることによって実現することは、当業者が適宜なしうるものである。
　
　引用発明と引用文献２に開示された発明とは、リーチ状態のときに特殊な演出を行う発明である点で共通している。
　
　よって、引用発明におけるリーチ状態ときの処理に、引用文献２に開示された発明を適用して、＜相違点１＞に係る本件補正発明の構成とすることは、当業者が容易に想到しうるものである。
　
＜相違点２＞について
　前記(4-1) で述べたとおり、＜相違点２＞に係る本件補正発明の構成は明確でなく、下記ａ〜ｄのように認定している。そこで、＜相違点２＞については、当該ａ〜ｄ毎に判断する。
ａ．部分順列に対して、設定を行う。
ｂ．当り図柄の数が他の図柄を合計した数よりも多い。
ｃ．他の図柄の数は０ではない。
ｄ．当り図柄及び他の図柄をそれぞれ常時表示する場合又は常時ではなく表示する場合を組み合わせた、４とおりの組み合わせの何れかである。
　
ａについて
　引用文献２には、前記＜相違点１＞について述べた、リーチ状態のときに当り図柄が占める割合を増やして遊技者に大当たりの発生確率が向上したように見せかけるために、当り図柄以外の他の図柄を消去する点の他、
　リーチ状態のときに当り図柄が占める割合を増やすために、当り図柄を付け加えて増やす点及び他の図柄を当り図柄に変更する点も開示されている。
　よって、引用発明に引用文献２に開示された発明を適用する際に、前記他の図柄を消去する点の他、当り図柄を付け加えて増やす点又は他の図柄を当り図柄に変更する点も適用することは、当業者が容易に想到しうるものである。
　またその際に、これらの点を如何なる順番で実行するかは、当業者が適宜決定しうるものであり、他の図柄を消去した部分順列を生成した後に、当り図柄を付け加えて増やす又は他の図柄を当り図柄に変更する場合の効果も、予測しうる程度のものである。
　
ｂについて
　引用文献２の【０１４１】、【０１４５】、【０１５７】〜【０１６３】には、前記他の図柄を当り図柄に変更する点の実施例であって、１５図柄のうち９図柄を当り図柄に差し替えることにより、当り図柄の割合を半分以上としたものが開示されている。
（ところで、引用文献２の【０１４５】には「１，２，３・・・Ｃ，Ｄ，Ｅの１５種類の図柄である。」と記載されているが、図柄１〜Ｅでは１４種類にしかならない点、続く【０１４６】〜【０１６３】には１５種類目の図柄Ｆが記載されている点から、「１，２，３・・・Ｃ，Ｄ，Ｅ，Ｆの１５種類の図柄である。」の誤記と認める。）
　
ｃについて
　以下の点を考慮すれば、引用文献２に開示された発明において、当り図柄が占める割合を増やす際に他の図柄を残すことは、自明である。
・引用文献２に開示された発明は、リーチ状態となっても最終的には大当たりにならない場合がある。
・引用文献２に開示された図柄の変動表示は、変動表示が停止した後に特別遊技を実行するか否かを表示するためのものであるから、最終的に大当たりとなる場合であっても、変動表示中の全図柄を当り図柄とはしないと解される。
・引用文献２の【０１４１】〜【０１６３】に開示された実施例においては、当り図柄が占める割合を増やす際に、他の図柄が残されている。
　
ｄについて
　引用文献２に開示された発明において、当り図柄及び他の図柄を、常時表示するか又は常時ではなく表示するかは、当業者が適宜決定しうるものであり、
　当り図柄及び他の図柄をそれぞれ常時表示する場合又は常時ではなく表示する場合を組み合わせた、４とおりの組み合わせの何れかとする場合の効果も、予測しうる程度のものである。
　
　よって、引用発明に引用文献２に開示された発明を適用して、＜相違点２＞に係る本件補正発明の構成とすることは、当業者が容易に想到しうるものである。
　
(4-5) 特許性についての検討のまとめ
　したがって、本件補正発明は、引用発明及び引用文献２に開示された発明から、当業者が容易に想到しうるものであるから、
　本件補正発明は、特許法第２９条第２項に該当し、特許出願の際独立して特許を受けることができるものではない。
　
　
(5) むすび
　したがって、本件補正は、平成１８年法律第５５号改正附則第３条第１項によりなお従前の例によるとされる同法による改正前の特許法１７条の２第５項で準用する同法１２６条第５項の規定に違反するものであり、同法１５９条第１項において読み替えて準用する同法５３条第１項の規定により却下されるべきものである。
　
　
３．本願発明について
(1) 本願発明
　平成２３年８月２９日付けの手続補正は前記のとおり却下されたので、本出願に係る発明は、平成２２年１１月２９日付け手続補正書で補正された特許請求の範囲により特定されるとおりのものである。
　そして、その請求項１に係る発明（以下「本願発明」という。）は、次のとおりである。
「　　【請求項１】
　遊技域中に設けらた表示画面と、
　該表示画面中の一領域に図柄を表示する表示領域を設定し、該表示領域に表示する前記図柄を予め定められた順列に従って連続的に変更する変動表示を行った後、該変動表示を停止させて一つの停止図柄を明示する表示制御手段と、
　該表示制御手段を起動し、前記停止図柄として当り図柄が前記表示領域に明示された場合のみ、特別遊技を実行する特別遊技実行手段とを備え、
　前記表示制御手段は、
　　リーチ状態のとき、前記表示領域内に一度に表示する図柄の数を、複数の図柄を並べて表示することによって増加する図柄数増加手段と、
　　リーチ状態のとき、前記順列を、前記当り図柄を含む前記順列の一部からなる部分順列に差し替える順列差替手段と、
　　リーチ状態のとき、前記表示領域の大きさを拡大する拡大手段と、
　を備え、
　前記順列差替手段は、
　　前記図柄のうち、前記当り図柄を他の図柄に比べて多く前記部分順列に設定する当り図柄設定手段を備えることを特徴とするパチンコ機。」
　ただし、前記「遊技域中に設けらた表示画面」については、「遊技域中に設けられた表示画面」の誤記と認める。
　
(2) 引用文献に開示された事項
　特開平６−２４６０４０号公報（引用文献１）に開示された発明（引用発明）及び特開平８−２４３２２４号公報（引用文献２）に開示された発明は、前記２．(4) に記載したとおりである。
　
(3) 対比・判断
　本願発明は、前記２．(2) で検討したように、本件補正発明から補正事項１〜６で指摘した技術事項を除いたものである。
　そうすると、前記２．(4) で述べたとおり、本願発明の構成要件を全て含み、さらに他の構成要件を付加したものに相当する本件補正発明は、引用発明及び引用文献２に開示された発明から、当業者が容易に想到しうるものであるから、
　本願発明も、引用発明及び引用文献２に開示された発明から、当業者が容易に想到しうるものである。
　
(4) むすび
　以上のとおり、本願発明は、引用発明及び引用文献２に開示された発明から、当業者が容易に想到しうるものであるから、特許法第２９条第２項の規定により特許を受けることができない。
　したがって、本願は、他の請求項について検討するまでもなく、拒絶されるべきものである。
　よって、結論のとおり審決する。